(57)【要約】【課題】便座の回動側の一端部と便器本体との間に、便座が円滑に回動するための隙間を設けてある便器において、便器のボウル部から飛び跳ねた汚水がこの隙間に入り込んだり、この隙間を通り抜けて隙間の先の部分に付着することを抑制できる便器を提供すること。【解決手段】本発明の便器は、便器本体１の後部上面部に便座２の一端部２１が回動自在に取り付けられた便器であって、便座２の一端部２１と便器本体１の間の隙間３を前方から覆うフィルム４が設けられ、フィルム４の一端部４１が便座２の一端部２１の便座裏面２２に取り付けられると共に、フィルム４の他端部４２が隙間３前方近傍の便器本体上面１１に取り付けられてなることを特徴とする。【選択図】図１
2011246961.tif 000002
【特許請求の範囲】
【請求項１】
便器本体の後部上面部に便座の一端部が回動自在に取り付けられた便器であって、前記便座の前記一端部と前記便器本体の間の隙間を前方から覆うフィルムが設けられ、前記フィルムの一端部が前記便座の前記一端部の便座裏面に取り付けられると共に、前記フィルムの他端部が前記隙間前方近傍の便器本体上面に取り付けられてなることを特徴とする便器。
【請求項２】
前記フィルムからは、前記隙間の側方を覆う側方カバー部が延設され、前記側方カバー部の一端部が前記便座の前記一端部の便座側面に取り付けられると共に、前記側方カバー部の他端部が前記隙間の下方の前記便器本体に取り付けられ、前記側方カバー部は、前記上端部と前記下端部の間に、前記便座の回動に追従して撓む撓み部を有することを特徴とする請求項１に記載の便器。
【請求項３】
前記便座と前記便器本体と前記フィルムは樹脂製であり、前記フィルムは、前記便座及び前記便器本体に溶着されることを特徴とする請求項１又は２に記載の便器。
【請求項４】
前記便座と前記フィルムの溶着部と、前記便器本体と前記フィルムの溶着部とは、それぞれ平滑処理されていることを特徴とする請求項３に記載の便器。
【請求項５】
前記便器本体の前記後部上面部に前記便座を覆う便蓋の一端部が回動自在に取り付けられた便器であって、前記便蓋の前記一端部と前記便座の前記一端部の間の第２の隙間を前方から覆う第２のフィルムが設けられ、前記第２のフィルムの一端部が前記便蓋の前記一端部の便蓋裏面に取り付けられると共に、前記第２のフィルムの他端部が前記便座の前記一端部の便座表面に取り付けられてなることを特徴とする請求項１〜４のいずれかに記載の便器。
【発明の詳細な説明】
【技術分野】
【０００１】
本発明は、便器本体に便座が回動自在に取り付けられた便器に関するものである。
【背景技術】
【０００２】
従来から、便器本体の後部上面部に便座の一端部が回動自在に取り付けられた便器がある（特許文献１参照）。
【０００３】
上記構成の便器においては、便座の一端部と便器本体の後部上面部との間に、便座が円滑に回動するための隙間が設けてある。
【先行技術文献】
【特許文献】
【０００４】
【特許文献１】特開２００９−１７４２６８号公報
【発明の概要】
【発明が解決しようとする課題】
【０００５】
上述のように隙間が設けられた便器では、便座を上げて小便をする際や便座に座って大便や小便をする際に、便器のボウル部から飛び跳ねた汚水が、この隙間に入り込むことや、この隙間を通り抜けて隙間の先の部分に付着することがある。そのため、上記隙間があることは、衛生的に好ましくなく、掃除もし難いという問題があった。
【０００６】
そこで、本発明は、便座の一端部と便器本体の後部上面部との間に、便座が円滑に回動するための隙間を設けてある便器において、便器のボウル部から飛び跳ねた汚水がこの隙間に入り込んだり、この隙間を通り抜けて隙間の先の部分に付着することを抑制できる便器を提供することを課題とする。
【課題を解決するための手段】
【０００７】
上記課題を解決するための本発明の便器は、便器本体の後部上面部に便座の一端部が回動自在に取り付けられた便器であって、前記便座の前記一端部と前記便器本体の間の隙間を前方から覆うフィルムが設けられ、前記フィルムの一端部が前記便座の前記一端部の便座裏面に取り付けられると共に、前記フィルムの他端部が前記隙間前方近傍の便器本体上面に取り付けられてなることを特徴とする。
【０００８】
また、前記フィルムからは、前記隙間の側方を覆う側方カバー部が延設され、前記側方カバー部の一端部が前記便座の前記一端部の便座側面に取り付けられると共に、前記側方カバー部の他端部が前記隙間の下方の前記便器本体に取り付けられ、前記側方カバー部は、前記上端部と前記下端部の間に、前記便座の回動に追従して撓む撓み部を有することが好ましい。
【０００９】
また、前記便座と前記便器本体と前記フィルムは樹脂製であり、前記フィルムは、前記便座及び前記便器本体に溶着されることが好ましい。
【００１０】
また、前記便座と前記フィルムの溶着部と、前記便器本体と前記フィルムの溶着部とは、それぞれ平滑処理されていることが好ましい。
【００１１】
また、前記便器本体の前記後部上面部に前記便座を覆う便蓋の一端部が回動自在に取り付けられた便器であって、前記便蓋の前記一端部と前記便座の前記一端部の間の第２の隙間を前方から覆う第２のフィルムが設けられ、前記第２のフィルムの一端部が前記便蓋の前記一端部の便蓋裏面に取り付けられると共に、前記第２のフィルムの他端部が前記便座の前記一端部の便座表面に取り付けられてなることが好ましい。
【発明の効果】
【００１２】
本発明は、便座の一端部と便器本体の後部上面部との間に、便座が円滑に回動するための隙間を設けてある便器において、便器のボウル部から飛び跳ねた汚水がこの隙間に入り込んだり、この隙間を通り抜けて隙間の先の部分に付着することを抑制できる。
【図面の簡単な説明】
【００１３】
【図１】本発明の実施形態の便器の便座を上げた状態の斜視図を示す。
【図２】同上の便器を示し、（ａ）は正面図を示し、（ｂ）は（ａ）のＸ−Ｘ線における側面断面図を示し、（ｃ）は側面図を示す。
【図３】同上の便器の便座を下げた状態の斜視図を示す。
【発明を実施するための形態】
【００１４】
以下、本発明を図に示す実施形態の便器に基づいて説明する。
【００１５】
まず、本実施形態の便器の基本構造について説明をする。
【００１６】
本実施形態の便器は、図１に示すように、ボウル部１０と、ボウル部１０の上端に設けたリム部１２と、局部洗浄装置等（図示せず）が内蔵された装置ケース１３と、からなる樹脂製の便器本体１に、便座２と便蓋６を回動自在に軸支したものである。以下においては、便座２と便蓋６は略鉛直に起こした状態を基準として、説明を行う。
【００１７】
ボウル部１０は、この便器本体１の前部に設けられていて、装置ケース１３は、この便器本体１の後部上部に設けられている。
【００１８】
この装置ケース１３の上面部１３０の略中央部分の左右側面には、図２（ａ）に示すように、ヒンジ軸１３２，１３２がそれぞれ水平方向に突出して設けている。これらのヒンジ軸１３２，１３２を介して便座２の一端部２１が回動自在に軸支される。
【００１９】
便座２の一端部２１の両側端部からは、ヒンジ軸１３２，１３２を軸受けする係止部２５，２５が突出して設けられている。
【００２０】
装置ケース１３のヒンジ軸１３２，１３２の後方には、便座２が略鉛直に起きた位置よりもさらに後方へ回動することを規制する回動規制構造を設けている。本実施形態では、図２（ｂ）に示すように、ヒンジ軸１３２，１３２を設けた箇所の後方の装置ケース１３に、略鉛直な規制壁１３４，１３４がそれぞれ設けられている。この規制壁１３４に便座表面２４が接触すると、それ以上、便座２は後方に回動しない状態となる。なお、規制壁１３４，１３４を設けるのではなく、係止部２５の軸受け構造を一定角度以上後方に回動しないような構造にしてもよいし、略鉛直に起きた便蓋６に便座２が当たって、それ以上後方に回動しないようにしてもよい。
【００２１】
すなわち、便座２は、リム部１２に便座２が載置される載置状態（図３参照）から、図１に示す、回動規制構造によって後方への回動が規制される起立状態（便座２が略鉛直に起きた位置）までの所定回動範囲内で、前後に回動自在となっている。
【００２２】
ここで、図２（ａ）に示すように、便座２の一端部２１が装置ケース１３のヒンジ軸１３２，１３２に軸支された状態において、便座２の係止部２５と、その下方の装置ケース１３の上面１３５との間には、所定の隙間３０が設けられている。また、便座２の係止部２５，２５それぞれの内側面２５０，２５０と、装置ケース１３のヒンジ軸１３２，１３２を突出させた側面１３６，１３６との間には、所定の隙間３１が設けられている。また、便座２の係止部２５，２５の間の一端部２１の端面２６と、対向する装置ケース１３の上面１３５との間には、所定の隙間３２が設けられている。
【００２３】
このように、便座２の一端部２１は、間に隙間３（３０，３１，３２）をおいて装置ケース１３に軸支されており、便座２は、所定回動範囲の前端及び後端を除いては、装置ケース１３のヒンジ軸１３２，１３２以外の部位に接触しない。このように隙間３を設けることで、便座２が装置ケース１３に対して円滑に回動自在となっている。
【００２４】
装置ケース１３の上面部１３０のヒンジ軸１３２，１３２よりも後方部分の左右側面には、図２（ｃ）に示すように、それぞれ固定軸１３３，１３３が水平方向に突出して設けてある。これらの固定軸１３３，１３３を介して便蓋６の一端部６１が回動自在に軸支されている。
【００２５】
便蓋６は、図３に示すように、便器本体１の平面視形状と同形状のカバー部６０と、そのカバー部６０の周縁部から全周に亘って垂直に設けられた周壁部６４から構成される。
【００２６】
便蓋６の一端部６１の両側端部の周壁部６４からは、図３に示すように、固定軸１３３，１３３を軸受けする係止部６３，６３がそれぞれ内側に突出して設けられている。
【００２７】
便蓋６は、略鉛直に起こすと、一端部６１の一部が装置ケース１３の後面に接触して、それ以上後方に回動しない状態となる。
【００２８】
すなわち、便蓋６は、リム部１２に載置された便座２を覆う載置状態から、装置ケース１３の後面に接触する起立状態（便蓋６が略鉛直に起きた位置）までの所定回動範囲内で、前後に回動自在となっている。
【００２９】
ここで、図３に示すように、便蓋６の一端部６１が装置ケース１３の固定軸１３３，１３３に軸支された状態において、便蓋６の係止部６３と、その前方の装置ケース１３との間には、所定の隙間７０が設けられている。また、便蓋６の係止部６３と、その内側の装置ケース１３との間には、所定の隙間７１が設けられている。また、便蓋６の一端部６１のカバー部６０の便蓋裏面６２と、その前方の装置ケース１３との間には、所定の隙間７２が設けられている。
【００３０】
このように、便蓋６の一端部６１は、間に隙間７（７０，７１，７２）をおいて装置ケース１３に軸支されており、便蓋６は、所定回動範囲の前端及び後端を除いては、装置ケース１３の固定軸１３３，１３３以外の部位に接触しない。このように隙間７を設けることで、便蓋６が装置ケース１３に対して円滑に回動自在となっている。
【００３１】
なお、以下において、リム部１２に載置した状態の便座２と装置ケース１３との間にできる隙間と、隙間７とを合せて、便座２と便蓋６の間の第２の隙間という。
【００３２】
続いて、本実施形態の便器の特徴部分の構成について説明する。以下においても、便座２と便蓋６は略鉛直に起こした状態を基準として、説明を行う。
【００３３】
本実施形態においては、図２（ａ）に示すように、便座２の一端部２１と装置ケース１３の間の隙間３を前方から覆う覆い部材が設けられている。本実施形態では、覆い部材として、薄膜であるフィルム４を用いており、フィルム４は、便器本体１と同様に樹脂で形成されている。
【００３４】
フィルム４は、図１及び図２（ｃ）に示すように、便座２の一端部２１と装置ケース１３との間の隙間３を前方から覆う前方カバー部４０と、隙間３を側方から覆う側方カバー部４３，４３とから構成される。側方カバー部４３，４３は、前方カバー部４０の両側端部から延設されている。
【００３５】
フィルム４の前方カバー部４０は、図２（ａ），（ｂ）に示すように、矩形状の薄膜であって、前方カバー部４０の上端の一端部４１が、便座２の一端部２１の便座裏面２２の略全幅（左右方向の幅全体）に亘って溶着によって取り付けられている。また、前方カバー部４０の下端の他端部４２は、隙間３の前方近傍の装置ケース１３の上面１３５の略全幅（左右方向の幅全体）に亘って溶着によって取り付けられている。
【００３６】
ここで、前方カバー部４０の一端部４１と便座２の一端部２１の便座裏面２２との溶着部５１の段差部分は、ヤスリ等で研磨することによって、平滑処理されている。また、前方カバー部４０の他端部４２と隙間３の前方近傍の装置ケース１３の上面１３５との溶着部５２の段差部分も同様に、平滑処理されている。
【００３７】
前方カバー部４０の一端部４１と他端部４２の間の長さは、最後方まで回動させた状態における便座２の溶着部５１から装置ケース１３の溶着部５２までの距離と略同じ寸法で形成されている。よって、この前方カバー部４０は便座２の回動を規制しないようになっており、便座２を回動する際に、溶着部５１，５２にテンションがかかる等の過度な力が働いて外れたり、前方カバー部４０が破損したりしてしまうことを抑制できる。なお、前方カバー部４０の一端部４１と他端部４２の間の長さは、最後方まで回動させた状態における便座２の溶着部５１から装置ケース１３の溶着部５２までの距離より、やや長くてもよい。
【００３８】
また、フィルム４の側方カバー部４３は、図２（ｃ）に示すように、略台形状の薄膜で形成されている。ここで、側方カバー部４３の上端の一端部４４は、便座２の一端部２１の便座側面２３の前後（厚み）方向全幅に亘って溶着によって取り付けられている。
【００３９】
また、側方カバー部４３の下端の他端部４５は、隙間３の下方の装置ケース１３の側面または上面１３５に全幅に亘って、溶着によって取り付けられている。
【００４０】
ここで、側方カバー部４３と便座側面２３との溶着部の段差部分と、側方カバー部４３と装置ケース１３との溶着部の段差部分とは、それぞれヤスリ等の研磨によって平滑処理されている。
【００４１】
そして、側方カバー部４３の一端部４４と他端部４５の間には、便座２の回動に追従して撓む撓み部４６を有する。
【００４２】
詳しくは、側方カバー部４３の一端部４４を取り付けた便座側面２３は、便座２の回動によって、装置ケース１３との位置関係が変化する。この変化に応じて、撓み部４６が引っ張られたり撓んだりすることで、便座２の回動角度に関わらず、側方カバー部４３は、溶着部が外れたり、破損したりすることなく、隙間３を常に側方から覆うことができる。
【００４３】
本実施形態の便器には、さらに、便蓋６と便座２の間の第２の隙間を前方側から上方を覆う覆い部材が設けられている。ここで、本実施形態においては、覆い部材として薄膜である第２のフィルム８を用いている。第２のフィルム８は、矩形状であり、フィルム４と同様に樹脂で形成されている。
【００４４】
第２のフィルム８は、図２（ｂ）、図２（ｃ）及び図３に示すように、上端の一端部８１が、便蓋６の一端部６１の便蓋裏面６２の全幅に亘って溶着によって取り付けられている。
【００４５】
また、第２のフィルム８の下端の他端部８２は、便座２の一端部２１の便座表面２４の全幅に亘って溶着によって取り付けられている。
【００４６】
ここで、第２のフィルム８の一端部８１と他端部８２との間の長さは、便座２及び便蓋６をそれぞれ自在に回動させても、第２のフィルム８の一端部８１と他端部８２それぞれの溶着部が外れたり、第２のフィルム８が破損したりしない程度の寸法に設定している。
【００４７】
上述のように本実施形態の便器は、便器本体１の後部上面部に便座２の一端部２１が回動自在に取り付けられた便器である。この便器には、便座２の一端部２１と便器本体１の間の隙間３を前方から覆うフィルム４が設けられている。このフィルム４は、一端部４１が便座２の一端部２１の便座裏面２２に取り付けられると共に、他端部４２が隙間３前方近傍の便器本体上面１１に取り付けられている。
【００４８】
このような構成とすることで、便器本体１に対して便座２が円滑に回動自在となるように、便座２の一端部２１と便器本体１の後部上面部の間に隙間３が設けられた便器においても、フィルム４で、この隙間３を前方から覆うことができる。ここで、フィルム４の一端部４１は、便座２の一端部２１の便座裏面２２に取り付けてあるので、便座裏面２２とフィルム４の取付部分には隙間が生じ難い。また、フィルム４の他端部４２は、隙間３前方近傍の便器本体上面１１に取り付けてあるので、便器本体上面１１とフィルム４の取付部分には隙間が生じ難い。
【００４９】
よって、便座２を上げて小便をする際や便座２に座って大便や小便をする際に、ボウル部１０から飛び跳ねてきた汚水が、隙間３に入り込むことや、この隙間３を通り抜けて、隙間３の先の便器本体１に付着してしまうことをフィルム４で抑制できる。なお、間違って隙間３に向けて小便をした場合であっても、このフィルム４で、隙間３に入り込むことを抑制できる。また、上述のようにフィルム４を設けたことで、狭い隙間３に付着した汚水等の掃除をする必要もなくなるので、便器全体の掃除のし易さが上がるとともに、清潔な状態を保ち易い便器となる。
【００５０】
ところで、便座２を便器本体１上に載置させるときには、便座２と便器本体１の間にフィルム４が存在する。しかし、隙間３を覆うための部材として薄膜であるフィルム４を使用しているので、便座２が浮いているように感じさせることを抑制できる。
【００５１】
また、本実施形態の便器は、フィルム４から、隙間３の側方を覆う側方カバー部４３が延設されている。側方カバー部４３は、一端部４４が便座２の一端部２１の便座側面２３に取り付けられると共に、他端部４５が隙間３の下方の便器本体１に取り付けられ、一端部４４と他端部４５の間に、便座２の回動に追従して撓む撓み部４６を有する。
【００５２】
このような構成とすることで、隙間３の側方は側方カバー部４３で覆うことができる。ここで、側方カバー部４３の一端部４４は、便座２の一端部２１の便座側面２３に取り付けてあるので、側方カバー部４３と便座側面２３の取付部分には隙間が生じ難い。また、側方カバー部４３の他端部４５は、隙間３の下方の便器本体１に取り付けてあるので、側方カバー部４３と便器本体１の取付部分には隙間が生じ難い。
【００５３】
よって、仮に隙間３の側方に向けて小便をしたり、ボウル部１０から飛び跳ねた汚水が隙間３の側方に飛び跳ねてきたりした場合であっても、この側方カバー部４３で、隙間３に側方から汚水等が入り込むことを抑制できる。また、隙間３の前方を覆うフィルム４に掛かった汚水がフィルム４に伝わって側方に流れて来ても、この側方カバー部４３で、隙間３に側方から入り込むことを抑制できる。
【００５４】
また、側方カバー部４３は、動かない便器本体１と、回動する便座２の便座側面２３に取付けているが、間に撓み部４６を設けているので、便座２の回動に追従して、撓み部４６が撓む。よって、側方カバー部４３と便器本体１の取付部分、及び側方カバー部４３と便座側面２３の取付部分に力が集中して取り付け状態が解除されることや、側方カバー部４３が破損することを抑制できる。そのため、便座２がどの回動位置にあっても、隙間３を側方カバー部４３で側方からカバーした状態を保持できる。
【００５５】
また、本実施形態の便器は、便座２と便器本体１とフィルム４は樹脂製であり、フィルム４は、便座２及び便器本体１に溶着されている。
【００５６】
このような構成とすることで、便座２とフィルム４、及び、便器本体１とフィルム４はそれぞれ強固に取り付けられるので、取り付けた箇所が外れることを抑制して、長い間、隙間３に汚水が入ることを防止できる便器となる。
【００５７】
また、本実施形態の便器は、便座２とフィルム４の溶着部５１と、便器本体１とフィルム４の溶着部５２とは、それぞれ平滑処理されている。
【００５８】
このような構成とすることで、溶着部５１，５２にできる便座２とフィルム４の段差部分や、便器本体１とフィルム４の段差部分に埃や汚水等が溜まらずに済むので、掃除がさらにし易いものとなる。
【００５９】
また、本実施形態の便器は、便器本体１の前記後部上面部に、便座２を覆う便蓋６の一端部６１が回動自在に取り付けられた便器である。この便器には、便蓋６の一端部６１と便座２の一端部２１の間の第２の隙間を前方から覆う第２のフィルム８が設けられている。第２のフィルム８は、一端部８１が便蓋６の一端部６１の便蓋裏面６２に取り付けられると共に、他端部８２が便座２の一端部２１の便座表面２４に取り付けられている。
【００６０】
このような構成とすることで、便蓋６の一端部６１と便座２の一端部２１の間の第２の隙間を、第２のフィルム８で前方から覆うことができる。ここで、第２のフィルム８の一端部８１は、便蓋６の一端部６１の便蓋裏面６２に取り付けてあるので、便蓋裏面６２とフィルム８の取付部分には隙間が生じ難い。また、第２のフィルム８の他端部８２は、便座２の一端部２１の便座表面２４に取り付けてあるので、便座２と第２のフィルム８の取付部分には隙間が生じ難い。
【００６１】
よって、この第２の隙間に埃等が入り込むことを防止できる。また、万が一、便座２を降ろした状態で、この第２の隙間に汚水が飛んでくるようなことがあっても、この第２の隙間に汚水が浸入することを第２のフィルム８で防止することができるので、さらに掃除のし易い便器となる。
【００６２】
（変更例）
なお、本実施形態においては、フィルム４は隙間３の前方と側方の両方を覆うように設けたが、フィルム４は隙間３の側方を覆わないものであってもよい。
【００６３】
また、規制壁１３４を有さない便器であれば、隙間３の後方を覆う後方カバー部を、側方カバー部４３の後方の側端部から延設させて設けてもよい。このようにした場合、第２のフィルム８は、便蓋６と、便器本体１との間の隙間７を覆うだけのものとすればよい。
【００６４】
また、フィルム４及びフィルム８を、伸縮性のある樹脂フィルムとしてもよい。このようにすれば、側方カバー部４３に撓み部４６を設けなくても、便座２の回動に追従して、側方カバー部４３が伸縮して、隙間３を常に側方からカバーすることができる。
【００６５】
また、本実施形態においては、フィルム４及びフィルム８は溶着によって、装置ケース１３（便器本体１）、便座２及び便蓋６にそれぞれ取り付けたが、接着による取り付けであっても構わない。
【００６６】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００６７】
１          便器本体
１１        便器本体上面
２          便座
２１        一端部
２２        便座裏面
２３        便座側面
２４        便座表面
３          隙間
４          フィルム
４１        一端部
４２        他端部
４３        側方カバー部
４４        一端部
４５        他端部
４６        撓み部
５１        溶着部
５２        溶着部
６          便蓋
６１        一端部
６２        便蓋裏面
８          第２のフィルム
８１        一端部
８２        他端部
【図１】
2011246961.tif 000003
【図２】
2011246961.tif 000004
【図３】
2011246961.tif 000005